(57)【要約】      （修正有）【課題】デスク装置などの表示装置のヒンジの遊びが生じないようにすること。【解決手段】固定ブラケット２７と回動枠２８とをヒンジ軸２９を介して一体連結し、該ヒンジ軸２９から回動枠２８にかけて一対のコイルばね３０を介在させており、回動枠２８が、枠本体３４と該枠本体３４の両側縁から直角に折り曲げた一対の側板３５とにより横断面略Ｕ字状に形成され、一方の側板３５から折り曲げられて枠本体３４と平行する平行板３８が設けられ、該平行板３８と枠本体３４とのヒンジ孔３７から同一間隔ｔだけ離れた端縁にそれぞれエッジポイントＰが形成されており、ヒンジ軸２９を各コイルばね３０のコイル状一端部３０ａ内に圧嵌させ、各コイルばね３０の他端部３０ｂの中央を各エッジポイントＰに当て付けその他端部３０ｂの先端を互いに逆向きに若干弾性変位させて各ストッパ片３９に係合させるようにした。【選択図】図４
0003107251.tif 000002
【実用新案登録請求の範囲】
【請求項１】
ディスク装置のディスク用ターンテーブル及び光ピックアップを備えた装置本体と液晶
ディスプレイ付き表示パネルとを回動可能に連結するものであって、前記装置本体に止着
される固定ブラケットと、該固定ブラケットに回動可能に枢支されて前記表示パネルに一
体連結されるヒンジ軸と、該ヒンジ軸にコイル状一端部を圧嵌させ他端部を固定ブラケッ
トのスリットに挿通した一対のコイルばねとを有し、該両コイルばねのヒンジ軸に対する
摩擦力に抗して該ヒンジ軸を回動させるようにした摩擦ヒンジにおいて、前記回転可能な
ヒンジ軸に代えて、固定ブラケットに一端部を固着したヒンジ軸が用いられ、前記表示パ
ネルに止着される枠本体と該枠本体の両側縁から直角に折り曲げた一対の側板とを有する
横断面略Ｕ字状の回動枠が設けられ、前記各側板の一端部にヒンジ孔が同心状に貫設され
、一方の側板から折り曲げられて枠本体と平行する平行板が設けられ、該平行板と前記枠
本体との前記ヒンジ孔から同一間隔だけ離れた端縁にそれぞれエッジポイントが形成され
、前記各側板の他端部適所を切り起こして各エッジポイントに対向するストッパ片が設け
られ、前記平行板及び枠本体からエッジポイントを間に挟んで各側板と平行してヒンジ孔
側に延びて先端を内側に若干折り曲げた位置決め片が設けられ、前記両コイルばねの巻回
方向が互いに逆向きにされており、ヒンジ軸を各ヒンジ孔に回動可能に嵌入させると共に
、該ヒンジ軸を各コイルばねのコイル状一端部内に圧嵌させ、各コイルばねの他端部を回
動枠内まで延ばし、その各コイルばねの他端部の中央を各エッジポイントに当て付けその
他端部の先端を互いに逆向きに若干弾性変位させて各ストッパ片に係合させるようにした
ことを特徴とする摩擦ヒンジ。
【請求項２】
固定ブラケットと回動枠とをヒンジ軸を介して一体連結し、該ヒンジ軸から回動枠にか
けて一対のコイルばねを介在させた摩擦ヒンジにおいて、前記回動枠が、枠本体と該枠本
体の両側縁から直角に折り曲げた一対の側板とにより横断面略Ｕ字状に形成され、前記各
側板の一端部にヒンジ孔が同心状に貫設され、一方の側板から折り曲げられて枠本体と平
行する平行板が設けられ、該平行板と前記枠本体との前記ヒンジ孔から同一間隔だけ離れ
た端縁にそれぞれエッジポイントが形成され、前記各側板の他端部適所を切り起こして各
エッジポイントに対向するストッパ片が設けられ、前記両コイルばねの巻回方向が互いに
逆向きにされ、前記固定ブラケットにヒンジ軸の一端部が固着されており、該ヒンジ軸を
各ヒンジ孔に回動可能に嵌入させると共に、そのヒンジ軸を各コイルばねのコイル状一端
部内に圧嵌させ、各コイルばねの他端部を回動枠内まで延ばし、その各コイルばねの他端
部の中央を各エッジポイントに当て付けその他端部の先端を互いに逆向きに若干弾性変位
させて各ストッパ片に係合させるようにしたことを特徴とする摩擦ヒンジ。
【請求項３】
前記平行板及び枠本体からエッジポイントを間に挟んで各側板と平行してヒンジ孔側に
延びて先端を内側に若干折り曲げた位置決め片が設けられていることを特徴とする請求項
２に記載の摩擦ヒンジ。
【考案の詳細な説明】
【技術分野】
【０００１】
本考案は、例えばＤＶＤプレーヤなどのディスク装置の表示パネルを所定の傾斜角度で
保持するための摩擦ヒンジに関する。
【背景技術】
【０００２】
従来、ディスク装置の一例として図８に示すものがある。これは、ＤＶＤプレーヤであ
って、ディスクＤ用ターンテーブル１及び光ピックアップ２を備えた装置本体３と、液晶
ディスプレイ４付き表示パネル５とを有し、該表示パネル５が左右一対の摩擦ヒンジ６を
介して装置本体３に回動可能に連結されている。なお、７は開閉蓋、８は開閉蓋７の開閉
操作釦、９は各種操作釦、１０は電源釦である。
【０００３】
再生操作の手順を説明すると、摩擦ヒンジ６を中心に表示パネル５を回動させて所定の
傾斜角度で保持し、開閉操作釦８を操作して開閉蓋７を開放し、ターンテーブル１にディ
スクＤをセットすると共に、電鍵釦１０をオン状態とし、各種操作釦９を操作することに
より、スピンドルモータ１ａによりターンテーブル１を介してディスクＤを高速回転させ
、該ディスクＤに記録されている映像を光ピックアップ２で読み取って液晶ディスプレイ
４に再生する。
【０００４】
前記各摩擦ヒンジ６の技術としては特許文献１などに記載したものがあり、これは、図
９に示すように、装置本体３に止着される側面視略Ｕ字状の固定ブラケット１２と、該固
定ブラケット１２の両側板１２ａに貫設したヒンジ孔１３に回動可能に嵌入されたヒンジ
軸１４と、該ヒンジ軸１４にコイル状の一端部１５ａを圧嵌させ他端部１５ｂを固定ブラ
ケット１２の底板１２ｂに形成したスリット１６に挿通した一対のコイルばね１５とを有
し、ヒンジ軸１４の先端部が表示パネル５に一体連結されている。
【０００５】
図８は、両コイルばね１５のヒンジ軸１４に対する摩擦力で表示パネル５を所定の傾斜
角度で保持している状態を示しており、この状態から表示パネル５の端部５ａを把持して
前後方向ＴＳ，ＴＬに押し引きすることにより〔図９（ａ）参照〕、各コイルばね１５の
一端部１５ａが緩んでスリップトルクが発生したり、各コイルばね１５の一端部１５ａが
締まってロックトルクが発生し、そのスリップトルク及びロックトルクを上回る外力を加
えることにより、表示パネル５を回動させて所定の傾斜姿勢にする。
【特許文献１】特開平３１９９７０８号公報
【考案の開示】
【考案が解決しようとする課題】
【０００６】
上記従来の構成では、図１０に示すように、各コイルばね１５の他端部１５ｂをスリッ
ト１６に挿通しただけであるから、該各他端部１５ｂの外径ｄに比べてスリット１６の幅
Ｄが大きくなり、その各他端部１５ｂとスリット１６との間に隙間αが必然的に生じる。
その隙間αは極めて小さいが、ヒンジ軸１４の中心からスリット１６までの間隔ｈに比べ
て該ヒンジ軸１４の中心から表示パネル５の端部５ａまでの間隔Ｈが極めて大きいことか
ら（図８参照）、その間隔ｈ：Ｈの比率分だけ隙間αが拡大されて該表示パネル５の端部
５ａに伝達され、ガタついて遊びが生じる。従って、映像再生中に、液晶ディスプレイ４
が微妙に振動したり、異音が生じたり、表示パネル５の端部５ａを把持して押し引きした
ときに該端部５ａが不測に動いたりして、ユーザに不快感を与える。
【０００７】
本考案は、上記従来の欠点に鑑み、ガタついて遊びが生じないようにした摩擦ヒンジを
提供することを目的としている。
【課題を解決するための手段】
【０００８】
上記目的を達成するため、請求項１に記載の考案は、ディスク装置のディスク用ターン
テーブル及び光ピックアップを備えた装置本体と液晶ディスプレイ付き表示パネルとを回
動可能に連結するものであって、前記装置本体に止着される固定ブラケットと、該固定ブ
ラケットに回動可能に枢支されて前記表示パネルに一体連結されるヒンジ軸と、該ヒンジ
軸にコイル状一端部を圧嵌させ他端部を固定ブラケットのスリットに挿通した一対のコイ
ルばねとを有し、該両コイルばねのヒンジ軸に対する摩擦力に抗して該ヒンジ軸を回動さ
せるようにした摩擦ヒンジにおいて、前記回転可能なヒンジ軸に代えて、固定ブラケット
に一端部を固着したヒンジ軸が用いられ、前記表示パネルに止着される枠本体と該枠本体
の両側縁から直角に折り曲げた一対の側板とを有する横断面略Ｕ字状の回動枠が設けられ
、前記各側板の一端部にヒンジ孔が同心状に貫設され、一方の側板から折り曲げられて枠
本体と平行する平行板が設けられ、該平行板と前記枠本体との前記ヒンジ孔から同一間隔
だけ離れた端縁にそれぞれエッジポイントが形成され、前記各側板の他端部適所を切り起
こして各エッジポイントに対向するストッパ片が設けられ、前記平行板及び枠本体からエ
ッジポイントを間に挟んで各側板と平行してヒンジ孔側に延びて先端を内側に若干折り曲
げた位置決め片が設けられ、前記両コイルばねの巻回方向が互いに逆向きにされており、
ヒンジ軸を各ヒンジ孔に回動可能に嵌入させると共に、該ヒンジ軸を各コイルばねのコイ
ル状一端部内に圧嵌させ、各コイルばねの他端部を回動枠内まで延ばし、その各コイルば
ねの他端部の中央を各エッジポイントに当て付けその他端部の先端を互いに逆向きに若干
弾性変位させて各ストッパ片に係合させるようにしたことを特徴としている。
【０００９】
請求項２に記載の考案は、固定ブラケットと回動枠とをヒンジ軸を介して一体連結し、
該ヒンジ軸から回動枠にかけて一対のコイルばねを介在させた摩擦ヒンジにおいて、前記
回動枠が、枠本体と該枠本体の両側縁から直角に折り曲げた一対の側板とにより横断面略
Ｕ字状に形成され、前記各側板の一端部にヒンジ孔が同心状に貫設され、一方の側板から
折り曲げられて枠本体と平行する平行板が設けられ、該平行板と前記枠本体との前記ヒン
ジ孔から同一間隔だけ離れた端縁にそれぞれエッジポイントが形成され、前記各側板の他
端部適所を切り起こして各エッジポイントに対向するストッパ片が設けられ、前記両コイ
ルばねの巻回方向が互いに逆向きにされ、前記固定ブラケットにヒンジ軸の一端部が固着
されており、該ヒンジ軸を各ヒンジ孔に回動可能に嵌入させると共に、そのヒンジ軸を各
コイルばねのコイル状一端部内に圧嵌させ、各コイルばねの他端部を回動枠内まで延ばし
、その各コイルばねの他端部の中央を各エッジポイントに当て付けその他端部の先端を互
いに逆向きに若干弾性変位させて各ストッパ片に係合させるようにしたことを特徴として
いる。
【００１０】
請求項３に記載の考案は、請求項２に記載の考案において、前記平行板及び枠本体から
エッジポイントを間に挟んで各側板と平行してヒンジ孔側に延びて先端を内側に若干折り
曲げた位置決め片が設けられていることを特徴としている。
【考案の効果】
【００１１】
請求項１に記載の考案は、実施の一形態（図１〜図７参照）に対応するものであって、
これによれば、固定ブラケットに固着したヒンジ軸にコイル状一端部を圧嵌させた一対の
コイルばねの他端部を回動枠内まで延ばし、その各コイルばねの他端部の中央を各エッジ
ポイントに当て付けるだけでなく、その他端部の先端を互いに逆向きに若干弾性変位させ
て各ストッパ片に係合させており、その弾性変位により生じた押付圧力で各コイルばねの
他端部を各エッジポイントに押し付けているから、固定ブラケットと回動枠との間に従来
のようにガタつきによる遊びが生じることがなく、両コイルばねによる摩擦力に抗して回
動枠を所定の傾斜角度で不測に動かないように保持することができると共に、その回動枠
を円滑に往復回動させることができる。
【００１２】
また、前記両コイルばねの巻回方向を互いに逆向きにしているので、回動枠を往復回動
させると、一方のコイルばねが緩んでスリップトルクが発生すると共に、他方のコイルば
ねが締まってロックトルクが発生し、その両トルクが反比例して増減されるので、ほぼ一
定圧の外力で回動枠を円滑に往復回動させることができ、使い勝手が良い。
【００１３】
更に、各位置決め片をガイドにして各コイルばねの他端部を各エッジポイントに容易に
当て付けることができると共に、その各位置決め片により各コイルばねの他端部が各エッ
ジポイントから不測に外れないようにすることができる。
【００１４】
要するに、本考案の摩擦ヒンジを用いたディスク装置によれば、映像再生中に、液晶デ
ィスプレイが微妙に振動したり、異音が生じたりすることなく、快適に再生映像を目視す
ることができると共に、表示パネルの端部を把持して押し引きしたときに該端部が不測に
揺動したりせず、その表示パネルを所定の傾斜角度で不測に動かないように保持すること
ができると共に、その表示パネルを円滑に往復回動させることができる。
【００１５】
請求項２に記載の考案は基本形態に対応するものであって、これによれば、固定ブラケ
ットに固着したヒンジ軸にコイル状一端部を圧嵌させた一対のコイルばねの他端部を回動
枠内まで延ばし、その各コイルばねの他端部の中央を各エッジポイントに当て付けるだけ
でなく、その他端部の先端を互いに逆向きに若干弾性変位させて各ストッパ片に係合させ
ており、その弾性変位により生じた押付圧力で各コイルばねの他端部を各エッジポイント
に押し付けているから、固定ブラケットと回動枠との間に従来のようにガタつきによる遊
びが生じることがなく、両コイルばねによる摩擦力に抗して回動枠を所定の傾斜角度で不
測に動かないように保持することができると共に、その回動枠を円滑に往復回動させるこ
とができる。
【００１６】
また、前記両コイルばねの巻回方向を互いに逆向きにしているので、回動枠を往復回動
させると、一方のコイルばねのコイル状一端部が緩んでスリップトルクが発生すると共に
、他方のコイルばねのコイル状一端部が締まってロックトルクが発生し、その両トルクが
反比例して増減されるので、ほぼ一定圧の外力で回動枠を円滑に往復回動させることがで
き、使い勝手が良い。
【００１７】
請求項３に記載の考案によれば、各位置決め片をガイドにして各コイルばねの他端部を
各エッジポイントに容易に当て付けることができると共に、その各位置決め片により各コ
イルばねの他端部が各エッジポイントから不測に外れないようにすることができる。
【考案を実施するための最良の形態】
【００１８】
図１〜図３は本考案の実施の一形態である摩擦ヒンジ２６を用いたディスク装置を示す
ものであって、その摩擦ヒンジ２６は、固定ブラケット２７と回動枠２８とをヒンジ軸２
９を介して一体連結し、そのヒンジ軸２９と回動枠２８との間に一対のコイルばね３０を
介在させたものである。上記以外の構成で図８に示す構成と同一部分に同一符号を付して
その説明を省略する。
【００１９】
前記固定ブラケット２７は、鉄板や鋼板などの金属板からなり、図４〜図６に示すよう
に、複数の止着孔３１ａを貫設したブラケット本体３１と、該ブラケット本体３１の一側
縁から直角に折り曲げた軸受板３２からなり、該軸受板３２のブラケット本体３１よりも
外方に突出する突出端部３２ａにヒンジ軸２９の一端部が固着されており、ビスなどの止
着具（図示せず）により止着孔３１ａを介してブラケット本体３１を装置本体３の後部に
止着することにより、軸受板３２の突出端部３２ａ及びヒンジ軸２９を装置本体３の上面
から上方に突出させる（図１〜図３参照）。
【００２０】
前記回動枠２８は、鉄板や鋼板などの金属板からなり、図４〜図６に示すように、複数
の止着孔３４ａを貫設した枠本体３４と、該枠本体３４の両側縁から直角に折り曲げた一
対の側板３５とにより横断面略Ｕ字状に形成され、各側板３５の枠本体３４よりも外方に
突出する一端部３５ａにヒンジ孔３７が同心状に貫設されており、該ヒンジ孔３７をヒン
ジ軸２９に回動可能に外嵌させることにより、この回動枠２８と固定ブラケット２７とが
一体的に連結される。また、ビスなどの止着具（図示せず）により止着孔３４ａを介して
枠本体３４を表示パネル５に止着することにより、該表示パネル５を装置本体３に回動可
能に取り付けることができる（図１〜図３参照）。
【００２１】
図４〜図６に示すように、一方の側板３５から直角に折り曲げられて枠本体３４と平行
する平行板３８が設けられ、該平行板３８と枠本体３４とのヒンジ孔３７から同一間隔ｔ
だけ離れた端縁で各側板３５に接近した位置にそれぞれエッジポイントＰが形成され、各
側板３５の他端部適所を切り起こして各エッジポイントＰに対向するストッパ片３９が設
けられ、平行板３８及び枠本体３４からエッジポイントＰを間に挟んで各側板３５と平行
してヒンジ孔３７側に延びて先端を内側に若干折り曲げた位置決め片４０が設けられてい
る。
【００２２】
前記各コイルばね３０は、図４〜図６に示すように、その巻回方向が互いに逆向きにさ
れ、その各コイル状一端部３０ａの内径ｄが自由状態でヒンジ軸２９の外径Ｄよりも小さ
く設定されており、該ヒンジ軸２９を各コイルばね３０のコイル状一端部３０ａ内に圧嵌
させ、各コイルばね３０の他端部３０ｂを回動枠２８内まで延ばし、その各コイルばね３
０の他端部３０ｂの中央を各エッジポイントＰに当てつけその他端部３０ｂの先端を互い
に逆向きに若干弾性変位させて各ストッパ片３９に係合させている〔図４（ｃ）（ｄ）の
仮想線参照〕。なお、図６中、４１はヒンジ軸２９の他端部に形成したねじ孔２９ａにワ
ッシャ４２及び座金４３を介して螺入させた抜止ビスである。
【００２３】
図１は、両コイルばね３０のヒンジ軸２９に対する摩擦力で表示パネル５を所定の傾斜
角度で保持している状態を示しており、この状態から表示パネル５の端部５ａを把持して
前後方向ＴＳ，ＴＬに押し引きすることにより〔図７参照〕、一方のコイルばね３０のコ
イル状一端部３０ａが緩んでスリップトルクが発生したり、他方のコイルばね３０のコイ
ル状一端部３０ａが締まってロックトルクが発生し、そのスリップトルク及びロックトル
クを上回る外力を加えることにより、表示パネル５を回動させて所定の傾斜姿勢にする。
【００２４】
この場合、両コイルばね３０の巻回方向を互いに逆向きにしているので、回動枠２８を
往復回動させると、一方のコイルばね３０が緩んでスリップトルクが発生すると共に、他
方のコイルばね３０が締まってロックトルクが発生し、その両トルクが反比例して増減さ
れるので、ほぼ一定圧の外力で回動枠を円滑に往復回動させることができ、使い勝手が良
い。
【００２５】
上記構成によれば、固定ブラケット２７に固着したヒンジ軸２９にコイル状一端部３０
ａを圧嵌させた一対のコイルばね３０の他端部３０ｂを回動枠２８内まで延ばし、その各
コイルばね３０の他端部３０ｂの中央を各エッジポイントＰに当て付けるだけでなく、そ
の他端部３０ｂの先端を互いに逆向きに若干弾性変位させて各ストッパ片３９に係合させ
ており〔図４（ｃ）（ｄ）の仮想線参照〕、その弾性変位により生じた押付圧力で各コイ
ルばね３０の他端部３０ｂを各エッジポイントＰに押し付けているから、固定ブラケット
２７と回動枠２８との間に従来のようにガタつきによる遊びが生じることがなく、両コイ
ルばね３０による摩擦力に抗して回動枠２８を所定の傾斜角度で不測に動かないように保
持することができると共に、その回動枠２８を円滑に往復回動させることができる。
【００２６】
また、各位置決め片４０をガイドにして各コイルばねの他端部を各エッジポイントＰに
容易に当て付けることができると共に、その各位置決め片４０により各コイルばね３０の
他端部３０ｂが各エッジポイントＰから不測に外れないようにすることができる。
【００２７】
要するに、本考案の摩擦ヒンジ２６を用いたディスク装置によれば、映像再生中に、液
晶ディスプレイ４が微妙に振動したり、異音が生じたりすることなく、快適に再生映像を
目視することができると共に、表示パネル５の端部５ａを把持して押し引きしたときに該
端部５ａが不測に揺動したりせず、その表示パネル５を所定の傾斜角度で不測に動かない
ように保持することができると共に、その表示パネル５を円滑に往復回動させることがで
きる。
【産業上の利用可能性】
【００２８】
上記の実施の形態では、ディスク装置に用いられる摩擦ヒンジ２６を例にあげて説明し
たが、これに限定されるわけではなく、各種機器の回動部材を所定の傾斜角度で保持する
場合にも適用することができる。
【図面の簡単な説明】
【００２９】
【図１】本考案の実施の一形態である摩擦ヒンジを用いたディスク装置を示す斜視図である。
【図２】同正面図である。
【図３】同側面図である。
【図４】（ａ）は同摩擦ヒンジの正面図、（ｂ）は側面図、（ｃ）はＡ−Ａ矢視図、（ｄ）はＢ−Ｂ矢視図である。
【図５】同摩擦ヒンジの斜視図である。
【図６】同摩擦ヒンジの分解斜視図である。
【図７】同要部の拡大縦断面図である。
【図８】従来の摩擦ヒンジを用いたディスク装置を示す斜視図である。
【図９】（ａ）は同摩擦ヒンジの側面図、（ｂ）は同正面図、（ｃ）は同底面図である。
【図１０】同要部の拡大縦断面図である。
【符号の説明】
【００３０】
１          ターンテーブル
２          光ピックアップ
３          装置本体
４          液晶ディスプレイ
５          表示パネル
２６        摩擦ヒンジ
２７        固定ブラケット
２８        回動枠
２９        ヒンジ軸
３０        コイルばね
３４        枠本体
３５        側板
３９        ストッパ片
４０        位置決め片
Ｐ          エッジポイント
【図１】
0003107251.tif 000003
【図２】
0003107251.tif 000004
【図３】
0003107251.tif 000005
【図４】
0003107251.tif 000006
【図５】
0003107251.tif 000007
【図６】
0003107251.tif 000008
【図７】
0003107251.tif 000009
【図８】
0003107251.tif 000010
【図９】
0003107251.tif 000011
【図１０】
0003107251.tif 000012